(57)【要約】      （修正有）【課題】省スペース化に優れた蓄電システムを提供する。【解決手段】蓄電システム１０は、給電側に設けられる充電装置１２と、充電装置１２と電気的に接続される蓄電池１３と、蓄電池１３と電気的に接続され、出力側に設けられるインバータ１４と、少なくとも蓄電池１３が内蔵されるパーティション１１とを備える。蓄電池１３がフィルム型であり、パーティション１１の内壁面に貼り付けられる。また、蓄電池１３がリチウムイオン電池である。【選択図】図１
0003194402.tif 000002
【実用新案登録請求の範囲】
【請求項１】
給電側に設けられる充電装置と、
前記充電装置と電気的に接続される蓄電池と、
前記蓄電池と電気的に接続され、出力側に設けられるインバータと、
少なくとも前記蓄電池が内蔵されるパーティションと
を備えることを特徴とする蓄電システム。
【請求項２】
請求項１記載の蓄電システムにおいて、
前記パーティションが複数連結され、
複数の前記パーティションの前記蓄電池が並列接続される。
【請求項３】
請求項１または２記載の蓄電システムにおいて、
前記パーティションに前記充電装置および前記インバータも更に内蔵される。
【請求項４】
請求項２記載の蓄電システムにおいて、
複数の前記パーティションのいずれか１台に、前記充電装置および前記インバータも更に内蔵される。
【請求項５】
請求項１〜４のいずれか一項に記載の蓄電システムにおいて、
前記蓄電池がフィルム型であり、前記パーティションの内壁面に貼り付けられる。
【請求項６】
請求項１〜５のいずれか一項に記載の蓄電システムにおいて、
前記蓄電池がリチウムイオン電池である。
【考案の詳細な説明】
【技術分野】
【０００１】
本考案は、蓄電システムに適用して有効な技術に関する。
【背景技術】
【０００２】
特開平１１−３２９３８２号公報（以下、「特許文献１」という。）には、携帯電話やビデオカメラなどの各種電子機器の小型化、軽量化に伴って創作されたフィルム型電池に関する技術が記載されている。
【先行技術文献】
【特許文献】
【０００３】
【特許文献１】特開平１１−３２９３８２号公報
【考案の概要】
【考案が解決しようとする課題】
【０００４】
ＵＰＳ（Uninterruptible Power Supply；無停電電源装置）は、例えば、蓄電池を内蔵して電力を蓄えながら外部に電力を供給し、外部からの電力供給が遮断されても所定時間は外部に電力を供給することのできる装置である。サーバーやパソコンなどのコンピュータを、ＵＰＳを介して電源（給電装置）に接続することにより、停電、瞬停などの影響を回避することができる。しかしながら、ＵＰＳをコンピュータとは別に設置する必要があり、そのためのスペースが必要となる。
【０００５】
本考案の目的は、省スペース化に優れた蓄電システムを提供することにある。本考案の前記ならびにその他の目的と新規な特徴は、本明細書の記述および添付図面から明らかになるであろう。
【課題を解決するための手段】
【０００６】
本願において開示される考案のうち、代表的なものの概要を簡単に説明すれば、次のとおりである。本考案の一解決手段に係る蓄電システムは、給電側に設けられる充電装置と、前記充電装置と電気的に接続される蓄電池と、前記蓄電池と電気的に接続され、出力側に設けられるインバータと、少なくとも前記蓄電池が内蔵されるパーティションとを備えることを特徴とする。
【０００７】
このように、既存の建物付属品であるパーティションに蓄電池を内蔵させることで、新たなスペースを必要としない省スペース化に優れた蓄電システムを提供することができる。また、ＵＰＳ機能を有するパーティション型蓄電システムによれば、例えば、コンピュータなどの瞬間停止対策を行うことができる。また、災害時の停電対策の一助ともなり得る。
【０００８】
前記一解決手段に係る蓄電システムにおいて、前記パーティションが複数連結され、複数の前記パーティションの前記蓄電池が並列接続されることがより好ましい。これによれば、蓄電容量を増加（電力増大）させることができる。ここで、複数の前記パーティションのいずれか１台に、前記充電装置および前記インバータも更に内蔵されることがより好ましい。これによれば、蓄電池の他に充電装置およびインバータを備えるパーティションを親機（高価となる）とし、これに対して蓄電池のみを備えるパーティションを子機（安価となる）として用いることで、蓄電システム全体として安価に抑えながら、蓄電容量を増加（電力増大）させることができる。
【０００９】
また、前記一解決手段に係る蓄電システムにおいて、前記パーティションに前記充電装置および前記インバータも更に内蔵されることがより好ましい。これによれば、パーティションで区切られたパーソナルスペースにあるコンピュータへＵＰＳ機能として直接電力を供給することができる。
【００１０】
また、前記一解決手段に係る蓄電システムにおいて、前記蓄電池がフィルム型であり、前記パーティションの内壁面に貼り付けられることがより好ましい。また、前記一解決手段に係る蓄電システムにおいて、前記蓄電池がリチウムイオン電池であることがより好ましい。これによれば、パーティションの軽量化を図ることができ、運搬、設置などを行い易くなる。
【考案の効果】
【００１１】
本願において開示される考案のうち、代表的なものによって得られる効果を簡単に説明すれば、次のとおりである。本考案の一解決手段によれば、省スペース化に優れた蓄電システムを提供することができる。
【図面の簡単な説明】
【００１２】
【図１】本考案の実施形態１に係る蓄電システムを説明するための図である。
【図２】図１に示す蓄電システムの制御系を説明するための図である。
【図３】図１に示す蓄電システムが備えるパーティションの模式的斜視図である。
【図４】本考案の実施形態２に係る蓄電システムを説明するための図である。
【図５】図４に示す蓄電システムの制御系を説明するための図である。
【図６】本考案の実施形態３に係る蓄電システムを説明するための図である。
【図７】本考案の実施形態４に係る蓄電システムを説明するための図である。
【考案を実施するための形態】
【００１３】
以下の本考案における実施形態では、必要な場合に複数のセクションなどに分けて説明するが、原則、それらはお互いに無関係ではなく、一方は他方の一部または全部の変形例、詳細などの関係にある。このため、全図において、同一の機能を有する部材には同一の符号を付し、その繰り返しの説明は省略する。また、構成要素の数（個数、数値、量、範囲などを含む）については、特に明示した場合や原理的に明らかに特定の数に限定される場合などを除き、その特定の数に限定されるものではなく、特定の数以上でも以下でも良い。また、構成要素などの形状に言及するときは、特に明示した場合および原理的に明らかにそうではないと考えられる場合などを除き、実質的にその形状などに近似または類似するものなどを含むものとする。
【００１４】
（実施形態１）
本考案の実施形態１に係る蓄電システム１０について、図１、図２、図３を参照して説明する。図１は、蓄電システム１０を説明するための図であり、外部機器（電気製品１００）との接続を模式的に示している。図２は、蓄電システム１０の制御系を説明するための図である。図３は、蓄電システム１０が備えるパーティション１１の模式的斜視図である。
【００１５】
蓄電システム１０は、図１に示すように、給電側に設けられる充電装置１２（充電システム）と、充電装置１２と電気的に接続される蓄電池１３と、蓄電池１３と電気的に接続され、出力側に設けられるインバータ１４とを備える。充電装置１２は、供給側の電源（給電装置）から入力された電力を直流（ＤＣ）電力へ変換し、または直流（ＤＣ）電力を調整して蓄電池１３を充電する。インバータ１４は、蓄電池１３で蓄電された電力（エネルギー）を直流（ＤＣ）電力から交流（ＡＣ）電力に変換して電気製品１００へ出力（商用出力）する。このように構成される蓄電システム１０がＵＰＳ機能を有し、電気製品１００が蓄電システム１０を介して電源と接続される。なお、供給側の電源としては、例えば、電源コンセントからの交流電力や、オフィス内に設けられた発電システム（例えば、ブラインド型太陽電池）からの直流電力などが適用される。
【００１６】
図２に示すように、充電装置１２は、充電回路１５と、充電制御回路１６とを備える。充電回路１５は、入力された電力を定電圧・定電流に変換して、蓄電池１３へ出力する。充電制御回路１６は、充電回路１５および蓄電池１３を制御する。より具体的には、充電制御回路１６は、蓄電池１３の安全の確保および電池劣化の防止のために、蓄電池１３の状態を監視し、充電中の満充電の検知や、異常時の蓄電池１３の充放電停止を行う。
【００１７】
そして、蓄電システム１０は、少なくとも蓄電池１３が内蔵されるパーティション１１を備える。すなわち、既存の建物（例えば、オフィス）の付属品としてのパーティション１１に蓄電池１３を内蔵させることで、新たなスペースを必要としない省スペース化に優れたパーティション型の蓄電システム１０を提供することができる。また、蓄電システム１０がＵＰＳ機能を有するので、例えば、オフィス内のコンピュータなどの電気製品１００の瞬間停止対策を行うことができ、また、災害時などの停電対策の一助ともなり得る。
【００１８】
また、本実施形態では、蓄電池１３としてフィルム型を用いている。このため、図３に示すように、パーティション１１の内壁面にフィルム型の蓄電池１３（図中、破線で示す）を貼り付けて内蔵させることができる。フィルム型の蓄電池１３としては、例えば、１台のパーティション当たりの出力電圧（直流電圧）が１００Ｖ以上を確保できるように、電池セルが直列接続されている。
【００１９】
パーティション１１は、例えば、２枚の大型パネルを有してそれらを対向配置させることで内部に空間が形成されている。この内部空間側の大型パネルの面（内壁面）にフィルム型の蓄電池１３を貼り付けることで、パーティション１１の軽量化を図ることができ、運搬、設置などを行い易くなる。また、蓄電池１３として、リチウムイオン電池を用いることで、他の蓄電池（例えば、ニッケル水素電池など）を用いることよりもパーティション１１の軽量化を図ることができる。
【００２０】
（実施形態２）
前記実施形態１では、蓄電池１３が内蔵されたパーティション１１を１台備えた蓄電システム１０について説明した。本考案の実施形態２では、蓄電池１３が内蔵されたパーティション１１を複数備えた蓄電システム１０Ａについて、図４および図５を参照して説明する。図４は、蓄電システム１０Ａを説明するための図であり、外部機器（電気製品１００）との接続を模式的に示している。図５は、蓄電システム１０Ａの制御系を説明するための図である。
【００２１】
蓄電システム１０Ａは、図４に示すように、蓄電池１３が内蔵されたパーティション１１を複数（ｎ台）備え、複数のパーティション１１が連結される。そして、図５に示すように、複数のパーティション１１に内蔵されている蓄電池１３が並列接続される。充電装置１２の充電回路１５は、入力された電力を定電圧・定電流に変換して、各蓄電池１３へ出力する。また、充電装置１２の充電制御回路１６は、充電回路１５および各蓄電池１３を制御する。
【００２２】
ここで、充電装置１２は、例えば、複数のパーティション１１のいずれか１台に外付けできるように、充電回路１５および充電制御回路１６を収容するケースを備える。また、インバータ１４も同様に、パーティション１１に外付けできるようにケースを備える。充電装置１２およびインバータ１４が、例えば、パーティション１１の上部からフックを用いて引っ掛けられる構成や、下部側で立て掛ける構成であることで、所定数のパーティション１１ごとにそれぞれを１台ずつユーザが自由に設置することができる。
【００２３】
そして、パーティション１１を複数連結して使用する際には、蓄電池１３を並列接続することで、蓄電容量を増加させることができる。例えば、オフィス内において使用されるパーティション１１の台数は設置場所により変化するため、任意台数を連結しても蓄電容量を増加させた蓄電システム１０Ａを構築することができる。
【００２４】
（実施形態３）
前記実施形態１では、蓄電池１３を内蔵するパーティション１１に対して充電装置１２およびインバータ１４が外付けされた蓄電システム１０について説明した。本考案の実施形態３では、パーティション１１が蓄電池１３の他に、充電池１２およびインバータ１４を更に内蔵する蓄電システム１０Ｂについて、図６を参照して説明する。図６は、蓄電システム１０Ｂを説明するための図であり、外部機器（電気製品１００）との接続を模式的に示している。なお、蓄電システム１０Ｂの制御系は、図２に示すものと同様となる。
【００２５】
蓄電システム１０Ｂは、図６に示すように、パーティション１１に充電装置１２およびインバータ１４も更に内蔵される。これによれば、パーティション１１で区切られたパーソナルスペースにある電気機器１００（例えば、コンピュータ）へＵＰＳ機能として直接電力を供給することができる。
【００２６】
（実施形態４）
前記実施形態２では、蓄電池１３が内蔵されたパーティション１１を１台備え、充電装置１２およびインバータ１４が外付けされた蓄電システム１０Ａについて説明した。本考案の実施形態４では、複数のパーティション１１のいずれか１台に蓄電池１３の他に充電池１２およびインバータ１４を更に内蔵する蓄電システム１０Ｃについて、図７を参照して説明する。図７は、蓄電システム１０Ｃを説明するための図であり、外部機器（電気製品１００）との接続を模式的に示している。なお、蓄電システム１０Ｃの制御系は、図５に示すものと同様となる。
【００２７】
蓄電システム１０Ａは、図７に示すように、蓄電池１３が内蔵されたパーティション１１を複数（ｎ台）備え、複数のパーティション１１が連結される。そして、図７に示すように、複数のパーティション１１に内蔵されている蓄電池１３が並列接続される。また、複数のパーティション１１のいずれか１台に、充電装置１２およびインバータ１４も更に内蔵される。本実施形態では、充電装置１２およびインバータ１４も内蔵するパーティション１１を親機１１Ａとし、それらを内蔵しないパーティション１１を子機１１Ｂとする。
【００２８】
親機１１Ａは、供給側の電源からの電力を受け付け、商用出力することができる。また、子機１１Ｂは、充電装置１２およびインバータ１４を内蔵せずに親機１１Ａよりも安価となり、親機１１Ａに例えばｎ台並列接続することにより、蓄電容量がｎ倍となる。このように、蓄電池１３の他に充電装置１２およびインバータ１４を備えるパーティション１１を親機１１Ａ（高価となる）とし、これに対して蓄電池１３のみを備えるパーティション１１を子機１１Ｂ（安価となる）として用いることで、蓄電システム１０Ｃ全体として安価に抑えながら、蓄電容量を増加（電力増大）させることができる。
【００２９】
以上、本考案を実施形態に基づき具体的に説明したが、本考案は前記実施形態に限定されるものではなく、次のとおり、その要旨を逸脱しない範囲で種々変更可能であることはいうまでもない。
【００３０】
例えば、前記実施形態１では、蓄電池（二次電池）としてフィルム型のリチウムイオン電池を適用した場合について説明した。これに限らず、パーティションに内蔵できるのであれば、フィルム型ではなくともよく、また、リチウムイオン電池の代わりにニッケル水素蓄電池や鉛電池などを用いることができる。但し、リチウムイオン電池はニッケル水素電池などよりもエネルギー密度が高いため、リチウムイオン電池を用いることで、より小型、軽量化を図ることができる。
【符号の説明】
【００３１】
１０、１０Ａ、１０Ｂ、１０Ｃ  蓄電システム
１１  パーティション
１１Ａ  親機
１１Ｂ  子機
１２  充電装置
１３  蓄電池
１４  インバータ
１５  充電回路
１６  充電制御回路
１００  電気製品
【図１】
0003194402.tif 000003
【図２】
0003194402.tif 000004
【図３】
0003194402.tif 000005
【図４】
0003194402.tif 000006
【図５】
0003194402.tif 000007
【図６】
0003194402.tif 000008
【図７】
0003194402.tif 000009